(57)【要約】【課題】コストアップ、部品点数及び通信用のピンの数の増大を防止又は抑制しつつ、空調器や給湯器内の回路の異常に関する報知を行う構成を実現する技術を提供する。【解決手段】発光制御部は、マイコンが正常の場合、ＬＥＤを発光輝度Ｌ１で発光させるべく、ＬＥＤに出力する駆動パルスの矩形波形における１周期あたりのオン時間をＴ１、オフ時間をＴ２とするとき、異常検出部により回路の異常が検出されると、ＬＥＤに出力する駆動パルスの矩形波形における１周期あたりのオフ時間を、前記オフ時間Ｔ２より長いＴ３（＞Ｔ２）とする。これにより、ＬＥＤに出力する駆動パルスの矩形波形における１周期あたりにおいて、オン時間の占める割合が、正常な場合と回路の異常が検出された場合とで異なり、回路の異常が検出された場合、ＬＥＤをマイコンが正常な場合の発光輝度Ｌ１より小さな発光輝度Ｌ２（＜Ｌ１）で発光させることができる。【選択図】図５
2010002072.tif 000002
【特許請求の範囲】
【請求項１】
空調器（１）又は給湯器の状態を報知する報知システムであって、
通電により発光する発光体（３６）と、
当該報知システムの状態に応じて、前記発光体（３６）に出力する駆動パルスの波形における１周期あたりのオン時間及びオフ時間のうち少なくとも一方を変えることにより前記発光体（３６）の発光輝度を変える発光制御部（３８）と
を備える報知システム。
【請求項２】
当該報知システムの状態を検出する状態検出部（３７，４１，４２）を備え、
前記発光制御部（３８，４５）は、
前記状態検出部（３７，４１，４２）により検出された当該報知システムの状態に応じて、前記発光体（３６）に出力する駆動パルスの波形における１周期あたりのオン時間及びオフ時間を設定する設定部（３８ａ，４５ａ）と、
前記設定部（３８ａ，４５ａ）により設定されたオン時間及びオフ時間に基づく波形の駆動パルスを前記発光体（３６）に出力する駆動パルス出力部（３８ｂ，４５ｂ）と
を備える請求項１に記載の報知システム。
【請求項３】
モータ（７，１９，２５）に電力をそれぞれ出力する１又は複数の電力回路（２６，３３，３５）を備え、
前記状態検出部（３７，４１，４２）は、前記電力回路（２６，３３，３５）を含む回路における異常の有無を検出する異常検出部（３７，４１，４２）を含み、前記異常検出部（３７，４１，４２）による異常の検出状態を前記報知システムの状態として検出するものである請求項２に記載の報知システム。
【請求項４】
前記モータ（７，１９，２５）は、冷媒を圧縮する圧縮機（８）を駆動するモータ（２５）を含む請求項３に記載の報知システム。
【請求項５】
互いに異なる回路の動作を制御する複数のマイクロコンピュータ（３９，４０）を備え、
前記各マイクロコンピュータ（３９，４０）は、当該マイクロコンピュータ（３９，４０）の制御対象の回路（２７，２８）における異常の有無を検出する異常検出部（４１，４２）を有し、
前記状態検出部（４１，４２）は、前記各マイクロコンピュータ（３９，４０）が備える異常検出部（４１，４２）からなり、且つ、各マイクロコンピュータ（３９，４０）の異常検出部（４１，４２）による異常の検出状態を前記報知システムの状態として検出するものであり、
１の前記発光体（３６）が複数のマイクロコンピュータ（３９，４０）で共用されており、
前記発光制御部（４５）は、前記異常を検出したマイクロコンピュータに応じて前記オン時間及びオフ時間のうち少なくとも一方を変えることにより前記発光体（３６）の発光輝度を変える請求項２に記載の報知システム。
【発明の詳細な説明】
【技術分野】
【０００１】
本発明は、室内の空気の冷暖房をはじめとする空調動作を行う報知システムの技術分野に属するものである。
【背景技術】
【０００２】
従来、室内の空気の冷暖房をはじめとする空調動作を行う空調器は、冷媒を圧縮する圧縮機を備えるとともに、所謂室内機に搭載される室内熱交換器と、所謂室外機に搭載される室外熱交換器とを有して構成されており、前記室外熱交換器及び室内交換器を、前記圧縮機により圧縮された冷媒を凝縮する凝縮器又は凝縮された冷媒を蒸発させる蒸発器として機能させることで、冷房運転又は暖房運転を実施する。
【０００３】
一方、下記特許文献１には、「車両に関する複数種類の情報として、３種類の情報、例えば、ＬＥＤ１６の全点灯を指令するための情報であって、配線の未接続・ＧＮＤ電位（０Ｖ）との接続・電源電位（５Ｖ）との接続といった配線の異常状態を含む情報Ａ、７０％減光点灯を指令するための情報Ｂ、５０％減光点灯を指令するための情報Ｃが設定されているときには、ＬＥＤ１６の全点灯を指令するための情報Ａに対しては、周波数０を含む低周波（例えば、０〜数１０Ｈｚ）のクロックが割り当てられ、７０％減光点灯を指令するための情報Ｂに対しては、中周波（例えば、数１００Ｈｚ〜数ｋＨｚ）のクロックが割り当てられ、５０％減光点灯を指令するための情報Ｃに対しては、高周波（例えば、数１０ｋＨｚ〜数１００ｋＨｚ）のクロックが割り当てられる。・・・（中略）・・・この入力端子７２には、車両側の機器、例えば、マイクロコンピュータや車速センサなどから、車両に関する３種類の情報、すなわち、配線の異常状態を含み全点灯を指令するための情報Ａ、７０％減光点灯を指令するための情報Ｂ、５０％減光点灯を指令するための情報Ｃのうちいずれかの情報を含むクロックとして、例えば、図４（ａ）、（ｂ）、（ｃ）に示すように、周波数０を含む低周波（例えば、０〜数１０Ｈｚ）のクロック９４、中周波（例えば、数１００Ｈｚ〜数ｋＨｚ）のクロック９２、高周波（例えば、数１０ｋＨｚ〜数１００ｋＨｚ）のクロック９０のいずれかのクロックが入力されるようになっている。なお、周波数０のクロックとしては、例えば、配線がＧＮＤ電位（０Ｖ）または電源電位（５Ｖ）に接続したときの状態を示すクロックであって、ロウレベルまたはハイレベルに維持されたクロックが挙げられる。（［００１５］）」と記載されている。
【特許文献１】特開２００７−２２１２７号公報
【発明の開示】
【発明が解決しようとする課題】
【０００４】
ところで、この種の空調器においては、圧縮機をはじめとする各種の駆動対象を駆動する各種のモータへの供給電力をそれぞれ生成する回路が備えられているが、従来では、空調器に搭載されるいずれかの回路に異常が発生した場合に、サービスマンは、一見しただけではどの回路に異常が発生しているかを確認することができず、回路基板等に対して特殊で面倒な作業を実施する必要があった。
【０００５】
そこで、一見しただけでどの回路に異常が発生しているかを確認できる構成として、回路基板に例えばＬＥＤを搭載するとともに、ＬＥＤへの供給電流の経路上に抵抗素子などの回路素子を設け、その回路素子を用いてＬＥＤへの供給電流を変化させることによってＬＥＤの発光輝度を変化させ、該発光輝度に応じてどの回路に異常が発生したのかを視覚的に報知する構成が想定される。
【０００６】
しかしながら、この場合、前記回路素子を設ける分、コストアップや部品点数或いは通信用のピンの数の増大を招来することとなる。
【０００７】
本発明は、上述した問題点を解決するためになされたものであり、コストアップ、部品点数及び通信用のピンの数の増大を防止又は抑制しつつ、空調器や給湯器内の回路の異常に関する報知を行う構成を実現する技術を提供することを目的とする。
【課題を解決するための手段】
【０００８】
請求項１に記載の発明は、空調器（１）又は給湯器の状態を報知する報知システムであって、通電により発光する発光体（３６）と、当該報知システムの状態に応じて、前記発光体（３６）に出力する駆動パルスの波形における１周期あたりのオン時間及びオフ時間のうち少なくとも一方を変えることにより前記発光体（３６）の発光輝度を変える発光制御部（３８）とを備える報知システムである。
【０００９】
請求項２に記載の発明は、請求項１に記載の報知システムにおいて、当該報知システムの状態を検出する状態検出部（３７，４１，４２）を備え、前記発光制御部（３８，４５）は、前記状態検出部（３７，４１，４２）により検出された当該報知システムの状態に応じて、前記発光体（３６）に出力する駆動パルスの波形における１周期あたりのオン時間及びオフ時間を設定する設定部（３８ａ，４５ａ）と、前記設定部（３８ａ，４５ａ）により設定されたオン時間及びオフ時間に基づく波形の駆動パルスを前記発光体（３６）に出力する駆動パルス出力部（３８ｂ，４５ｂ）とを備えるものである。
【００１０】
請求項１，２に記載の発明によれば、報知システムの状態を前記発光体の発光輝度で報知する場合に、回路素子を設けて発光体への供給電流を変える構成に比して、コストアップ、部品点数及び通信用ピンの数の増大を防止・抑制することができる。
【００１１】
請求項３に記載の発明は、請求項２に記載の報知システムにおいて、モータ（７，１９，２５）に電力をそれぞれ出力する１又は複数の電力回路（２６，３３，３５）を備え、前記状態検出部（３７，４１，４２）は、前記電力回路（２６，３３，３５）を含む回路における異常の有無を検出する異常検出部（３７，４１，４２）を含み、前記異常検出部（３７，４１，４２）による異常の検出状態を前記報知システムの状態として検出するものである。
【００１２】
この発明によれば、前記電力回路を含む回路における異常の有無に応じて、前記発光体に出力する駆動パルスの波形におけるオン時間及びオフ時間のうち少なくとも一方が変えられる。
【００１３】
前記モータ（７，１９，２５）としては、例えば請求項４に記載の発明のように、冷媒を圧縮する圧縮機（８）を駆動するモータ（２５）を含む形態が想定される。
【００１４】
請求項５に記載の発明は、請求項２に記載の報知システムにおいて、互いに異なる回路の動作を制御する複数のマイクロコンピュータ（３９，４０）を備え、前記各マイクロコンピュータ（３９，４０）は、当該マイクロコンピュータ（３９，４０）の制御対象の回路（２７，２８）における異常の有無を検出する異常検出部（４１，４２）を有し、前記状態検出部（４１，４２）は、前記各マイクロコンピュータ（３９，４０）が備える異常検出部（４１，４２）からなり、且つ、各マイクロコンピュータ（３９，４０）の異常検出部（４１，４２）による異常の検出状態を前記報知システムの状態として検出するものであり、１の前記発光体（３６）が複数のマイクロコンピュータ（３９，４０）で共用されており、前記発光制御部（４５）は、前記異常を検出したマイクロコンピュータに応じて前記オン時間及びオフ時間のうち少なくとも一方を変えることにより前記発光体（３６）の発光輝度を変えるものである。
【００１５】
この発明によれば、１の前記発光体が複数のマイクロコンピュータで共用されている場合に、異常を検出したマイクロコンピュータに応じて前記オン時間及びオフ時間のうち少なくとも一方を変えることにより前記発光体の発光輝度を変えるようにしたので、コストアップ、部品点数や通信用ピンの数の増大を防止・抑制しつつ、異常が発生した回路の種別を報知することができる。
【発明の効果】
【００１６】
本発明によれば、コストアップ、部品点数や通信用ピンのピン数の増大を防止又は抑制しつつ、回路の異常に関する報知を行う構成を実現することができる。
【発明を実施するための最良の形態】
【００１７】
以下、図面を参照しながら本発明に係る報知システムの実施形態について説明する。図１は、本発明に係る報知システムが適用された空調器の第１の実施形態の構成を示す図である。
【００１８】
図１に示すように、空調器１は、室内の天井面や壁面などに取り付けられる室内機２と、室外の適所に設置される室外機３とを備えて構成されており、室内機２と室外機３とは、配管部４により接続されている。室内機２、室外機３及び配管部４は、環状の冷媒回路を構成し、この冷媒回路に冷媒を循環させることにより室内の空気を冷房又は暖房する。
【００１９】
室内機２には、複数回折り返されてなる伝熱管及び該伝熱管が挿通される複数のフィンを備えて構成され、接触する空気との間で熱交換を行う室内熱交換器５と、室内の空気を室内機２の内部に導入する（吸い込む）とともに前記室内熱交換器５との間で熱交換を行った後の空気を室内に放出する室内ファン６と、前記室内ファン６を回転駆動する室内ファンモータ７とを有する。
【００２０】
室外機３は、冷媒を圧縮する圧縮機８と、前記圧縮機８の吐出側に接続される切換弁９と、前記圧縮機８の吸入側に接続されるアキュムレータ１０と、前記切換弁９に接続された室外熱交換器１１と、室外熱交換器１１に接続された電動弁１２と、室外熱交換器１１による熱交換後の空気を外部に排出するための室外ファン１３とを有する。
【００２１】
電動弁１２は、フィルタ１４及び液閉鎖弁１５を有する配管１７に接続されており、該配管１７を介して室内機２の室内熱交換器５の一端と接続されている。また、切換弁９は、ガス閉鎖弁２８を有する配管１８に接続されており、この配管１８を介して室内機２の室内熱交換器５の他端と接続されている。前記配管１７，１８は、冷媒が流れる配管であり、前記配管部４を構成する。室外ファン１３は、室外ファンモータ１９によって回転駆動される。
【００２２】
このような構成を有する空調器１においては、冷房運転時、圧縮機８から吐出された冷媒が室外熱交換器１１に供給され、該室外熱交換器１１において前記冷媒の凝縮が行われた後、電動弁１２，フィルタ１４、液閉鎖弁１５及び配管１７を介して室内熱交換器５に供給され、該室内熱交換器５において冷媒の蒸発が行われる。この動作により、室内熱交換器５で冷気が生成され、前記室内ファン６によって冷気が室内に放出される。なお、この冷房運転時においては、室内熱交換器５は前記蒸発器として機能し、室外熱交換器１１は前記凝縮器として機能する。
【００２３】
一方、暖房運転時、圧縮機８から吐出された冷媒が配管１８を介して室内熱交換器５に供給され、該室内熱交換器５において前記冷媒の凝縮が行われた後、電動弁１２，フィルタ１４、液閉鎖弁１５及び配管１７を介して室外熱交換器１１に供給され、室外熱交換器１１において冷媒の蒸発が行われる。この動作により、室内熱交換器５で暖気が生成され、前記室内ファン６によって暖気が室内に放出される。なお、この暖房運転時においては、室内熱交換器５は前記凝縮器として機能し、室外熱交換器１１は前記蒸発器として機能する。
【００２４】
図２は、空調器１の構成を示すブロック図である。なお、図１に示す構成と同一の構成については同一の番号を付し、その説明を省略する。
【００２５】
図２に示すように、空調器１は、圧縮機８と、圧縮機駆動部２０と、室内ファン６と、室内ファン駆動部２１と、室外ファン１３と、室外ファン駆動部２２と、入力操作部２３と、制御部２４とを備えて構成されている。
【００２６】
圧縮機駆動部２０は、圧縮機８を駆動するモータ２５と、該圧縮機モータ２５を駆動させるための駆動信号を生成する圧縮機用モータ駆動回路部２６とを備えて構成されており、圧縮機用モータ駆動回路部２６は、詳細には図３に示すような構成を有する。
【００２７】
図３に示すように、圧縮機用モータ駆動回路部２６は、コンバータ回路２７と、インバータ回路２８とを備えている。コンバータ回路２７は、電力会社の商用電源である交流電源Ｅ１からの交流電圧を直流電圧に変換するものであり、整流回路２９、昇圧チョッパ３０、平滑回路３１及び抵抗Ｒ１，Ｒ２，Ｒ３を備えている。
【００２８】
整流回路２９は、例えばダイオードブリッジから構成され、交流電源Ｅ１から出力される交流電圧を全波整流する。昇圧チョッパ３０は、インバータ回路２８に出力する直流電圧を所定レベルに昇圧するものであり、コイルＬ１、ダイオードＤ１、スイッチング素子Ｑ１及びダイオードＤ２を備えている。昇圧チョッパ３０は、制御部２４から出力されるＰＷＭ信号を受けてスイッチング素子Ｑ１がオン・オフし、スイッチング素子Ｑ１がオンの間にコイルＬ１内に蓄積された電磁エネルギーを、スイッチング素子Ｑ１がオフの間に放出することで、インバータ回路２８に所定レベルの直流電圧を出力する。
【００２９】
スイッチング素子Ｑ１として、ｎｐｎ型のバイポーラトランジスタが採用され、コレクタがコイルＬ１とダイオードＤ１との接続点に接続され、ベースが制御部２４に接続され、エミッタがグラウンドに接続されている。ダイオードＤ１は、アノードがコイルＬ１に接続され、カソードが抵抗Ｒ１に接続されている。ダイオードＤ２は、アノードがスイッチング素子Ｑ１のエミッタに接続され、カソードがスイッチング素子Ｑ１のコレクタに接続されている。平滑回路３１は、コンデンサＣ１を備えて構成され、昇圧チョッパ３０から出力された電圧を平滑化する。
【００３０】
抵抗Ｒ１は、一端がダイオードＤ１のカソードに接続され、他端が抵抗Ｒ２に接続されている。抵抗Ｒ２は、一端が抵抗Ｒ１に接続され、他端がグラウンドに接続されている。抵抗Ｒ３は、圧縮機モータ２５を駆動するための電流をモニタするために、平滑回路３１とインバータ回路２８との間であって接地側の線路上に接続されており、一端が制御部２４に接続されている。
【００３１】
インバータ回路２８は、スイッチング素子Ｑ２，Ｑ３及びダイオードＤ３，Ｄ４等を備えて構成され、制御部２４の制御の下、コンバータ回路２７から出力された直流電圧を所定レベルの振幅及び周波数を有する交流電圧に変換して、圧縮機モータ２５を駆動させるものである。
【００３２】
スイッチング素子Ｑ２は、ｎｐｎ型のバイポーラトランジスタから構成され、ベースが制御部２４に接続され、エミッタがスイッチング素子Ｑ３のコレクタに接続され、コレクタがコンデンサＣ１と接続されている。スイッチング素子Ｑ３は、ｎｐｎ型のバイポーラトランジスタから構成され、ベースが制御部２４に接続され、エミッタがグラウンドに接続されている。ダイオードＤ３はアノードがスイッチング素子Ｑ２のエミッタに接続され、カソードがスイッチング素子Ｑ２のコレクタに接続されている。ダイオードＤ４は、アノードがスイッチング素子Ｑ３のエミッタに接続され、カソードがスイッチング素子Ｑ３のコレクタに接続されている。圧縮機モータ２５は、例えばブラシレスモータから構成され、インバータ回路２８から出力される交流電圧によって動作し、圧縮機８を駆動する。前記スイッチング素子Ｑ１〜Ｑ３には、圧縮機モータ２５の回転速度が所定速度となるように、制御部２４からＰＷＭ信号が出力される。
【００３３】
図２に戻り、室内ファン駆動部２１は、室内ファン６を駆動するモータ７（前記第２のモータに相当）と、該モータ７を駆動させるための駆動信号を生成する室内ファン用モータ駆動回路部３３とを備えて構成されている。室外ファン駆動部２２は、室外ファン１３を駆動するモータ１９と、該モータ１９を駆動させるための駆動信号を生成する室外ファン用モータ駆動回路部３５とを備えて構成されている。なお、前記室内ファン用モータ駆動回路部３３及び室外ファン用モータ駆動回路部３５の構成は、前記圧縮機用モータ駆動回路部２６と同様の構成を有するので、その説明を省略する。
【００３４】
入力操作部２３は、詳細には説明しないが、当該空調器１の動作を制御する図略のリモコンに設置された各種ボタンやスイッチを含むものである。
【００３５】
制御部２４は、図略のＣＰＵ（Central Processing Unit：中央演算処理部）と、そのＣＰＵの動作を規定するプログラムを格納するＲＯＭ（Read Only Memory）やデータを一時的に保管する機能や作業領域としての機能を有するＲＡＭ（Random Access Memory）等を備えて構成されたマイクロコンピュータ（以下、マイコンという）を有してなり、当該空調器１の全体制御を司るものである。
【００３６】
制御部２４には、ＬＥＤ３６が接続されている。ＬＥＤ３６は、通電により発光する発光体の一例であり、異常の有無を視覚的に報知するために設けられたものである。すなわち、ＬＥＤ３６は、異常が何も発生していない場合（正常の場合）には常時点灯する一方、制御部２４を構成する基板上のマイコン自体に異常が発生した場合には消灯したり点滅したりする。これにより、マイコン自体の異常の有無が視覚的に報知される。
【００３７】
さらに、本実施形態では、マイコンが当該空調器１に備えられる回路の異常を検出した場合に、前記正常の場合に対してＬＥＤ３６の発光輝度を変えることで回路の異常を検出した旨を視覚的に報知する構成と、そのＬＥＤ３６の発光輝度を、ＬＥＤ３６に出力する駆動パルスの矩形波形における１周期のオン時間及びオフ時間の少なくとも一方を変えることで制御する点が従来と相違する。以下、この点について詳細に説明する。
【００３８】
この構成を実現するべく、図２に示すように、制御部２４は、圧縮機用モータ駆動回路部２６、室内ファン用モータ駆動回路部３３及び室外ファン用モータ駆動回路部３５の各回路に異常が発生したか否かを検出する異常検出部３７と、前記ＬＥＤ３６の発光動作を制御する発光制御部３８とを機能的に有する。
【００３９】
発光制御部３８は、前記ＬＥＤ３６に出力する駆動パルスの波形における１周期あたりのオン時間及びオフ時間を設定する設定部３８ａと、前記設定部３８ａにより設定されたオン時間及びオフ時間に基づく波形の駆動パルスを前記ＬＥＤ３６に出力する駆動パルス出力部３８ｂとを有する。
【００４０】
設定部３８ａは、マイコンが正常の場合、図４（ａ）に示すように、ＬＥＤ３６を発光輝度Ｌ１で発光させるべく、図４（ｂ）に示すように、ＬＥＤ３６に出力する駆動パルスの矩形波形における１周期あたりのオン時間をＴ１、オフ時間をＴ２に設定し、駆動パルス出力部３８ｂは、この駆動パルスを前記ＬＥＤ３６に出力する。
【００４１】
また、設定部３８ａは、前記異常検出部３７により回路の異常が検出されると、図５（ｂ）に示すように、ＬＥＤ３６に出力する駆動パルスの矩形波形における１周期あたりのオフ時間を、前記オフ時間Ｔ２より長いＴ３（＞Ｔ２）に設定し、駆動パルス出力部３８ｂは、この駆動パルスを前記ＬＥＤ３６に出力する。このオフ時間Ｔ３は、ＬＥＤ３６が点滅状態とならないような時間である。なお、オン時間は、本実施形態ではマイコンが正常の場合と同一とする。
【００４２】
これにより、ＬＥＤ３６に出力する駆動パルスの矩形波形における１周期あたりにおいて、オン時間の占める割合が、正常な場合と回路の異常が検出された場合とで異なり、図５（ａ）に示すように、回路の異常が検出された場合、ＬＥＤ３６をマイコンが正常な場合の発光輝度Ｌ１より小さな発光輝度Ｌ２（＜Ｌ１）で発光させることができる。これにより、異常を検出した旨をサービスマンやユーザに視覚的に報知することができる。
【００４３】
なお、ここでは、ＬＥＤ３６に出力する駆動パルスの矩形波形における１周期あたりのオフ時間を変えることで、オン時間の占める割合を、マイコンが正常な場合と回路の異常が検出された場合とで異ならせるようにしたが、ＬＥＤ３６に出力する駆動パルスの矩形波形における１周期あたりのオン時間を変えることで、オン時間の占める割合を、マイコンが正常な場合と回路の異常が検出された場合とで異ならせるようにしてもよいし、或いは、オン時間及びオフ時間の両方を変えて、オン時間の占める割合を、マイコンが正常な場合と回路の異常が検出された場合とで異ならせるようにしてもよい。
【００４４】
以上のように、ＬＥＤ３６に出力する駆動パルスの矩形波形における１周期あたりのオン時間及びオフ時間のうち少なくとも一方を変えるという手段を用いて、マイコンが正常な場合と回路の異常が検出された場合とで前記ＬＥＤ３６の発光輝度を変えるようにしたので、ＬＥＤ３６の発光輝度を変えるためにＬＥＤ３６に出力する電流の電流値を変化させるための回路素子を別途設ける構成のようにコストアップや回路の大型化等を招来することなく若しくは抑制しつつ、制御部２４が異常を検出したか否か（マイコンが管理する回路に異常が発生したか否か）を、サービスマンやユーザに比較的簡単に識別させることができる。
【００４５】
なお、本件は、前記実施形態に代えて、又は前記実施形態に加えて次のような変形形態も採用可能である。
【００４６】
［１］ＬＥＤ３６に出力する駆動パルスの矩形波形における１周期あたりのオン時間及びオフ時間のうち少なくとも一方を変えるという手段を用いて前記ＬＥＤ３６の発光輝度を変える技術は、マイコンが正常な場合と回路の異常が検出された場合との識別だけでなく、互いに異なる回路を制御する複数のマイコンが空調器に搭載されており、１つのＬＥＤを複数のマイコンで共用する構成の場合に、異常を検出したマイコン（異常の種類）の識別にも適用することができる。以下、この構成について説明する。
【００４７】
ここでは、図６に示すように、前記圧縮機用モータ駆動回路部２６のコンバータ回路２７の動作を制御するコンバータ用マイコン３９と、インバータ回路２８の動作を制御するインバータ用マイコン４０とが空調器１に搭載されていて、１つのＬＥＤ３６がコンバータ用マイコン３９とインバータ用マイコン４０とで共用されている構成を想定し、この構成に対して、ＬＥＤ３６の発光輝度を用いて、回路の異常を検出したマイコンの種別を報知する形態について説明する。
【００４８】
図６に示すように、コンバータ用マイコン３９は、前記圧縮機用モータ駆動回路部２６のコンバータ回路２７の動作を制御するものであり、コンバータ回路２７の異常の有無を検出する異常検出部４１を備える。インバータ用マイコン４０は、前記圧縮機用モータ駆動回路部２６のインバータ回路２８の動作を制御するものであり、インバータ回路２８の異常の有無を検出する異常検出部４２を備える。
【００４９】
コンバータ用マイコン３９及びインバータ用マイコン４０は、互いに通信可能に接続されており、相手側のマイコンとの間で通信を行う通信部４３，４４を有する。コンバータ用マイコン３９の通信部４３は、前記異常検出部４１によりコンバータ回路２７の異常が検出されると、その旨をインバータ用マイコン４０に通知する。インバータ用マイコン４０の通信部４４は、この通知を受ける。
【００５０】
また、インバータ用マイコン４０には、１つのＬＥＤ３６が接続されており、インバータ用マイコン４０は、このＬＥＤ３６の発光動作を制御する発光制御部４５を備え、発行制御部４５は、前記第１の実施形態と同様、前記ＬＥＤ３６に出力する駆動パルスの波形における１周期あたりのオン時間及びオフ時間を設定する設定部４５ａと、前記設定部４５ａにより設定されたオン時間及びオフ時間に基づく波形の駆動パルスを前記ＬＥＤ３６に出力する駆動パルス出力部４５ｂとを有する。
【００５１】
ここで、本実施形態では、設定部４５ａは、ＬＥＤ３６に出力する駆動パルスの矩形波形における１周期あたりのオフ時間を変えることで、オン時間の占める割合を、前記通信部４４が前記通知を受けた場合と、当該インバータ用マイコン４０の異常検出部４２によりインバータ回路２８の異常が検出された場合とで異ならせる。
【００５２】
すなわち、設定部４５ａは、通知を受けた場合（コンバータ用マイコン３９がコンバータ回路２７の異常を検出した場合）、図７（ａ）に示すように、ＬＥＤを発光輝度Ｌ３で発光させるべく、図７（ｂ）に示すように、ＬＥＤ３６に出力する駆動パルスの矩形波形における１周期あたりのオン時間をＴ４、オフ時間をＴ５に設定し、駆動パルス出力部３８ｂは、この駆動パルスを前記ＬＥＤ３６に出力する。
【００５３】
また、発光制御部４５は、インバータ回路２８の異常を検出した場合、図８（ｂ）に示すように、ＬＥＤ３６に出力する駆動パルスの矩形波形における１周期あたりのオフ時間を、前記オフ時間Ｔ５より長いＴ６（＞Ｔ５）に設定し、駆動パルス出力部３８ｂは、この駆動パルスを前記ＬＥＤ３６に出力する。なお、前記オフ時間Ｔ５，Ｔ６は、ＬＥＤ３６が点滅状態とならないような時間である。また、オン時間は、本実施形態では前記通知を受けた場合と同一とする。
【００５４】
その結果、ＬＥＤ３６に出力する駆動パルスの矩形波形における１周期あたりのオン時間の占める割合が、コンバータ用マイコン３９がコンバータ回路２７の異常を検出した場合と、インバータ用マイコン４０がインバータ回路２８の異常を検出した場合とで異なり、図８（ａ）に示すように、インバータ回路２８の異常を検出した場合、コンバータ用マイコン３９がコンバータ回路２７の異常を検出した場合の発光輝度Ｌ３より小さな発光輝度Ｌ４（＜Ｌ３）で発光させることができる。これにより、回路の異常を検出したマイコンの種別をサービスマンやユーザに視覚的に報知することができる。
【００５５】
なお、ここでは、ＬＥＤ３６に出力する駆動パルスの矩形波形における１周期あたりのオフ時間を変えることで、オン時間の占める割合を、コンバータ回路２７の異常が検出された場合とインバータ回路２８の異常が検出された場合とで異ならせるようにしたが、ＬＥＤ３６に出力する駆動パルスの矩形波形における１周期あたりのオン時間を変えることで、オン時間の占める割合を両者で異ならせるようにしてもよいし、或いは、オン時間及びオフ時間の両方を変えて、オン時間の占める割合を両者で異ならせるようにしてもよい。
【００５６】
また、ここでは、１つのＬＥＤがコンバータ用マイコン３９とインバータ用マイコン４０とで共用されている構成に本件の特徴を採用したが、この構成に限らず、１つのＬＥＤ３６が３つ以上のマイコンで共用されている構成にも本件は採用可能である。
【００５７】
［２］前記実施形態では、本発明（ＬＥＤの点灯制御についての特徴部分）を空調器に適用したものを示したが、空調器の他に、給湯器に適用したものでもよい。
【図面の簡単な説明】
【００５８】
【図１】空調器の第１の実施形態の構成を示す図である。
【図２】空調器の構成を示すブロック図である。
【図３】圧縮機用モータ駆動回路部の回路構成を示す図である。
【図４】（ａ）は、マイコンが正常の場合におけるＬＥＤの発光輝度を示し、（ｂ）は、マイコンが正常の場合にＬＥＤに出力する駆動パルスの矩形波形を示す波形図である。
【図５】（ａ）は、回路の異常が検出された場合におけるＬＥＤの発光輝度を示し、（ｂ）は、回路の異常が検出された場合にＬＥＤに出力する駆動パルスの矩形波形を示す波形図である。
【図６】図３に示す圧縮機用モータ駆動回路部において、前記圧縮機用モータ駆動回路部のコンバータ回路の動作を制御するコンバータ用マイコンと、インバータ回路の動作を制御するインバータ用マイコンとが空調器に搭載されており、１つのＬＥＤがコンバータ用マイコンとインバータ用マイコンとで共用されている構成を示す図である。
【図７】（ａ）は、コンバータ用マイコンがコンバータ回路の異常を検出した場合におけるＬＥＤの発光輝度を示し、（ｂ）は、コンバータ用マイコンがコンバータ回路の異常を検出した場合にＬＥＤに出力する駆動パルスの矩形波形を示す波形図である。
【図８】（ａ）は、インバータ用マイコンがインバータ回路の異常を検出した場合におけるＬＥＤの発光輝度を示し、（ｂ）は、インバータ用マイコンがインバータ回路の異常を検出した場合にＬＥＤに出力する駆動パルスの矩形波形を示す波形図である。
【符号の説明】
【００５９】
１    空調器
２    室内機
３    室外機
６    室内ファン
７    室内ファンモータ
８    圧縮機
１３  室外ファン
１９  室外ファンモータ
２０  圧縮機駆動部
２１  室内ファン駆動部
２２  室外ファン駆動部
２４  制御部
２５  圧縮機モータ
２６  圧縮機用モータ駆動回路部
２８  インバータ回路
３３  室内ファン用モータ駆動回路部
３５  室外ファン用モータ駆動回路部
３６  ＬＥＤ
３７，４１，４２  異常検出部
３８，４５  発光制御部
３８ａ，４５ａ  設定部
３８ｂ，４５ｂ  駆動パルス出力部
４３，４４  通信部
３９  コンバータ用マイコン
４０  インバータ用マイコン
【図１】
2010002072.tif 000003
【図２】
2010002072.tif 000004
【図３】
2010002072.tif 000005
【図４】
2010002072.tif 000006
【図５】
2010002072.tif 000007
【図６】
2010002072.tif 000008
【図７】
2010002072.tif 000009
【図８】
2010002072.tif 000010